【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
濁水が供給されるろ過槽内に複数のろ過板を沈め、それぞれの前記ろ過板を形成する各ろ布表面に前記濁水内の懸濁物質を付着させてそれぞれプレコート層を形成した後、前記それぞれのプレコート層を用いて前記濁水をダイナミックろ過する濁水ろ過方法であって、
前記ろ過槽内の懸濁物質を拡散させつつ前記各ろ布内部からの吸引により前記各ろ布表面に前記それぞれのプレコート層を形成する形成工程と、
前記形成工程に続いて、前記各ろ布内部からの吸引により前記それぞれのプレコート層を用いて濁水をろ過するろ過工程と、
所定のろ過時間の経過によりろ過機能が低下した前記それぞれのプレコート層を、各ろ布内部に水を供給することによって剥離させる逆洗工程と、を含み、
前記逆洗工程は、前記ろ過板の全体を複数の部分に分けて液中剥離方式によって前記複数の部分のそれぞれに対して順次実行し、かつ前記ろ過板の所定の部分に対して前記逆洗工程を実行しているタイミングで、前記逆洗工程を実行していない前記ろ過板の部分に対して前記形成工程または前記ろ過工程を実行する
ことを特徴とする濁水ろ過方法。
【請求項２】
前記ろ過槽に供給される濁水は、前記ろ過槽に供給される前にｐＨ調整剤および凝集剤が添加され、前記凝集剤は、前記プレコート層の形成時のみに添加されることを特徴とする請求項１に記載の濁水ろ過方法。
【請求項３】
前記ろ過板下部に拡散ポンプを設け、該拡散ポンプによって吸引されたろ過板下部の濁水をろ過板上部から拡散することを特徴とする請求項１または２に記載の濁水ろ過方法。
【請求項４】
前記ろ過板上部から拡散される濁水は、前記ろ過板間であって前記ろ布表面に平行な方向に放出されることを特徴とする請求項３に記載の濁水ろ過方法。
【請求項５】
前記ろ過板下部に撹拌手段を設け、該撹拌手段によって撹拌される濁水の流れは、前記ろ布表面に平行な方向であることを特徴とする請求項１または２に記載の濁水ろ過方法。
【請求項６】
濁水が供給されるろ過槽内に複数のろ過板を沈め、それぞれの前記ろ過板を形成する各ろ布表面に前記濁水内の懸濁物質を付着させてそれぞれプレコート層を形成した後、前記それぞれのプレコート層を用いて前記濁水をダイナミックろ過する濁水ろ過装置であって、
前記それぞれのプレコート層を形成する形成処理の間に前記ろ過槽内の濁水を拡散させる拡散手段と、
前記複数のろ過板にそれぞれ接続され、前記それぞれのろ布において、前記形成処理に続いて前記各ろ布内部からの吸引により前記それぞれのプレコート層を用いて濁水をろ過するろ過処理と、所定のろ過時間の経過によりろ過機能が低下した前記それぞれのプレコート層を各ろ布内部に水を供給することによって剥離させる逆洗処理とを実行可能なヘッダー管と、
前記逆洗処理を、前記ろ過板の全体を複数の部分に分けて液中剥離方式によって前記複数の部分のそれぞれに対して順次実行させ、かつ前記ろ過板の所定の部分に対して前記逆洗処理を実行しているタイミングで、前記逆洗処理を実行していない前記ろ過板の部分に対して前記形成処理または前記ろ過処理を実行させる制御手段と、
を備えたことを特徴とする濁水ろ過装置。
【請求項７】
前記ろ過槽の前段に、ｐＨ調整剤および凝集剤を添加して濁水に混和する混和槽を設け、前記制御手段は、前記凝集剤を、前記プレコート層の形成時のみに前記混和槽に添加することを特徴とする請求項６に記載の濁水ろ過装置。
【請求項８】
前記拡散手段は、前記ろ過板下部に拡散ポンプを設け、該拡散ポンプによって吸引されたろ過板下部の濁水をろ過板上部から拡散することを特徴とする請求項６または７に記載の濁水ろ過装置。
【請求項９】
前記ろ過板上部から拡散される濁水は、前記ろ過板間であって前記ろ布表面に平行な方向に放出されることを特徴とする請求項８に記載の濁水ろ過装置。
【請求項１０】
前記拡散手段は、前記ろ過板下部に設けられた撹拌手段であり、前記撹拌手段は、前記ろ布表面に平行な方向に前記濁水の流れを形成することを特徴とする請求項６または７に記載の濁水ろ過装置。
【手続補正２】
【補正対象書類名】明細書
【補正対象項目名】０００７
【補正方法】変更
【補正の内容】
【０００７】
上述した課題を解決し、目的を達成するために、この発明にかかる濁水ろ過方法は、濁水が供給されるろ過槽内に複数のろ過板を沈め、それぞれのろ過板を形成する各ろ布表面に濁水内の懸濁物質を付着させてそれぞれプレコート層を形成した後、それぞれのプレコート層を用いて濁水をダイナミックろ過する濁水ろ過方法であって、ろ過槽内の懸濁物質を拡散させつつ各ろ布内部からの吸引により各ろ布表面にそれぞれのプレコート層を形成する形成工程と、形成工程に続いて、各ろ布内部からの吸引によりそれぞれのプレコート層を用いて濁水をろ過するろ過工程と、所定のろ過時間の経過によりろ過機能が低下したそれぞれのプレコート層を、各ろ布内部に水を供給することによって剥離させる逆洗工程と、を含み、逆洗工程は、ろ過板の全体を複数の部分に分けて液中剥離方式によって複数の部分のそれぞれに対して順次実行し、かつろ過板の所定の部分に対して逆洗工程を実行しているタイミングで、逆洗工程を実行していないろ過板の部分に対して形成工程またはろ過工程を実行することを特徴とする。
【手続補正３】
【補正対象書類名】明細書
【補正対象項目名】００１２
【補正方法】変更
【補正の内容】
【００１２】
また、この発明にかかる濁水ろ過装置は、濁水が供給されるろ過槽内に複数のろ過板を沈め、それぞれのろ過板を形成する各ろ布表面に濁水内の懸濁物質を付着させてそれぞれプレコート層を形成した後、それぞれのプレコート層を用いて濁水をダイナミックろ過する濁水ろ過装置であって、それぞれのプレコート層を形成する形成処理の間にろ過槽内の濁水を拡散させる拡散手段と、複数のろ過板にそれぞれ接続され、それぞれのろ布において、形成処理に続いて各ろ布内部からの吸引によりそれぞれのプレコート層を用いて濁水をろ過するろ過処理と、所定のろ過時間の経過によりろ過機能が低下したそれぞれのプレコート層を各ろ布内部に水を供給することによって剥離させる逆洗処理とを実行可能なヘッダー管と、逆洗処理を、ろ過板の全体を複数の部分に分けて液中剥離方式によって複数の部分のそれぞれに対して順次実行させ、かつろ過板の所定の部分に対して逆洗処理を実行しているタイミングで、逆洗処理を実行していないろ過板の部分に対して形成処理またはろ過処理を実行させる制御手段と、を備えたことを特徴とする。
【手続補正４】
【補正対象書類名】明細書
【補正対象項目名】００３２
【補正方法】変更
【補正の内容】
【００３２】
時点ｔ３に到達すると、プレコート層５０ｂの剥離を行う。プレコート層５０ｂを２４時間程度使用すると、プレコート層５０ｂ自体のろ過機能が低下し、単位時間あたりのろ過処理能力が低下するからである。このプレコート層５０ｂの剥離処理は、各ヘッダー管５１ａ，５１ｂごとに順次行う。なお、ヘッダー管５１ａ，５１ｂは、複数あるヘッダータンク６にそれぞれ接続された一例を示したものである。また、各ヘッダー管５１は、それぞれ所定数のろ過板５０に接続されている。図３では、ヘッダー管５１ａに接続されたろ過板５０のプレコート層５０ｂを剥離する場合、ヘッダー管５１ａの吸引を停止してろ過処理を行わず、ヘッダー管５１ａに水を供給する逆洗処理を行う。このヘッダー管５１ａの逆洗処理時間（ｔ３〜ｔ４）およびヘッダー管５１ｂの逆洗処理時間（ｔ４〜ｔ５）は、例えばそれぞれ２分程度である。なお、剥離圧は、０．０５〜０．２ＭＰａ程度である。